(57)【要約】【課題】慣用のばね取り付けされたユニットのように衝撃又は振動に対して敏感でないディスクドライブユニットを提供する。【解決手段】ディスクケーシング１においてディスクが回転させられるように適合されており、複数のばね４，４ａ，４ｂによってディスクケーシング１に弾性的に結合された取付けフレーム５が設けられているディスクドライブユニットにおいて、ばね４が、ディスクケーシング１を通って延びた共通平面を横切ってディスクケーシング１における個々の作用点３，３ａ，３ｂから延びている。【選択図】図１
2007059046.tif 000002
【特許請求の範囲】
【請求項１】
ディスクケーシング（１）が設けられており、該ディスクケーシングにおいてディスクが回転させられるように適合されており、複数のばね（４，４ａ，４ｂ）によって前記ディスクケーシング（１）に弾性的に結合された取付けフレーム（５）が設けられているディスクドライブユニットにおいて、ばね（４）が、ディスクケーシング（１）における個々の作用点（３，３ａ，３ｂ）から、前記ディスクケーシング（１）を通って延びた共通平面を横切って延びていることを特徴とする、ディスクドライブユニット。
【請求項２】
ディスクケーシング（１）が、前記共通平面に対して垂直な、前側と後側とを有しており、ばね（４，４ａ，４ｂ）が、前記前側及び後側によって規定された前側平面と後側平面との間に延びている、請求項１記載のディスクドライブユニット。
【請求項３】
ばね（４，４ａ，４ｂ）が、ディスクケーシング（１）における個々の作用点（３ａ，３ｂ）から、前記前側平面と後側平面との間の中間平面に向かって延びている、請求項２記載のディスクドライブユニット。
【請求項４】
ばね（４ａ，４ｂ）が、前記前側平面及び後側平面のうちの一方に隣接したディスクケーシング（１）における個々の作用点（３ａ，３ｂ）を有しており、個々の作用点（３ａ，３ｂ）から前記前側平面及び後側平面のうちの隣接した１つに向かって延びている、請求項３記載のディスクドライブユニット。
【請求項５】
共通平面が、ディスクケーシング（１）の頂壁及び底壁に対して平行である、請求項１から４までのいずれか１項記載のディスクドライブユニット。
【請求項６】
共通の平面がディスクケーシング（１）の重心を二分している、請求項５記載のディスクドライブユニット。
【請求項７】
角隅のばね（４ａ，４ｂ）が、少なくとも２つの角隅のために互いに交差している、請求項１から６までのいずれか１項記載のディスクドライブユニット。
【請求項８】
軸線（２）の方向及び該方向に対して垂直な方向での振動を吸収するために有効な振動吸収体（１１，１６）が設けられている、請求項１から７までのいずれか１項記載のディスクドライブユニット。
【発明の詳細な説明】
【技術分野】
【０００１】
本発明は、磁気ハードディスク（ＨＤＤ）等の交換不可能なディスク又は例えばＣＤ−ＲＯＭ、ＤＶＤ等の交換可能なディスクにおいて作動するディスクドライブユニットに関する。このようなディスクドライブユニットは、コンピュータ周辺装置、及びビデオレコーダ、ビデオＤＶＤプレーヤ等の消費者電子機器において使用される。
【背景技術】
【０００２】
近年では、特に消費者電子機器の分野においてこのようなディスクドライブを使用する装置の高さを減じる傾向が高まっており、これにより、このような装置は、セットの表示スクリーンを著しく持ち上げることなく及び使用者が表示スクリーンを見る角度を顕著に変化させることなく、そのための表示装置として使用されるＴＶセットの下方に据え付けられることができる。
【０００３】
慣用的に、上に述べられたタイプのディスクドライブユニットは、ディスク上のデータを読み取る又は記録するためにディスクの表面に沿って移動可能な１つ又は２つ以上の読取り／書込みヘッドを有している。ヘッドと、ディスクの表面との間の間隙は、磁気ディスクの場合にはミリメートルの小さな分数である。なぜならば、ヘッドは、記録されたデータを表す微小な磁気構造を検出することができるようにディスク表面に極めて近くなければならないからである。ＣＤ又はＤＶＤの場合のように光学記録技術が使用される場合には、高い記憶密度のために必要とされる読取り（又は書込み）ビームの極めて緊密な収束を提供するために小さな間隙幅が必要であり、間隙幅は、ビーム焦点がディスクのデータ記録層にちょうど合致するように狭い範囲内で制御されなければならない。ディスクドライブユニットが衝撃又は振動を受けやすい場合には、間隙幅を正確な値に維持することが不可能であり、これにより読取り又は書込みプロセスが妨げられ、最悪の場合にはヘッドとディスク表面との衝突を生じ、このことはヘッド及び／又はディスクの永久的な損傷を生じることがある。
【０００４】
ディスク及びヘッドを、衝撃又は振動によって生ぜしめられる過剰な加速度から保護するために、ディスクケーシングをばねによって弾性的に取り付けることが提案されている。取付けフレームが衝撃の場合に強く加速度された場合、ばねは、加速度の減じられたレベルのみをディスクケーシングに伝達し、これにより、ディスク、及び内部の読取り／書込みヘッドを保護する。この手段はディスクドライブユニットの信頼性を改善するが、ユニットをかさばらせる傾向がある点で不都合である。なぜならば、ばねはディスクケーシングの角隅から、立方体の対角線に対して平行な方向に延びているからである。
【発明の開示】
【発明が解決しようとする課題】
【０００５】
本発明の目的は、慣用のばね取り付けされたユニットのような衝撃又は振動に対して敏感でないディスクドライブユニットを、このタイプの慣用のユニットのかさばりを有することなく提供することである。
【課題を解決するための手段】
【０００６】
この目的は、ディスクケーシングが設けられており、このディスクケーシングにおいてディスクが回転させられるように適合されており、複数のばねによって前記ディスクケーシングに弾性的に結合された取付けフレームが設けられている、ディスクドライブユニットによって達成され、このユニットは、ばねが、ディスクケーシングにおける個々の作用点から、前記ケーシングを通って延びた共通平面に向かって延びていることを特徴とする。共通平面は、方程式Ｚ＝定数によって定義されることができ、ここでＺは、ディスクの回転軸によって規定された寸法である。
【０００７】
この設計によって、共通平面に対して垂直な方向で、衝撃を受けた場合にディスクケーシングを振動させるためにディスクケーシングのそれぞれの側に小さな間隙のみが設けられればよいが、この間隙を越えてばねのための空間は必要ではない。したがって、共通平面に対して垂直方向のディスクドライブユニットの寸法は小さく形成されることができ、このことは、本発明のディスクドライブユニットを、減じられた高さの装置における据付に特に適したものにする。
【０００８】
ばねの遠隔端部は、有利には前記共通平面において取付けフレームに結合されることができる。好適には、ばねは共通平面を横切って延びており、これにより、ばねは、より長く形成されることができ、振動している場合にいつでも緊張させられていることができる。
【０００９】
ディスケーシングが共通平面に対して垂直な前側及び後側を有しており、ばねが、前記前側と後側とによって規定された前側平面と後側平面との間に延びているならば、ディスクドライブユニットの第２の寸法が減じられることができる。
【００１０】
この場合、第１の実施形態によれば、ばねは、ディスクケーシングにおける個々の作用点から、前記前側平面と後側平面との間の中間平面に向かって延びている。
【００１１】
択一的に、ばねは、前記前側平面及び後側平面のうちの１つに隣接しているが一致していないディスクケーシングにおける個々の作用点を有しており、個々の作用点から、前記前側平面及び後側平面のうちの隣接した１つに向かって延びている。
【００１２】
軸方向及び軸方向に対して垂直な方向での振動を吸収するために、１つ又は２つ以上の振動吸収体が設けられることができる。
【００１３】
本発明の別の特徴及び利点は、添付の図面を参照しながら、実施形態の以下の詳細な説明から明らかになるであろう。
【発明を実施するための最良の形態】
【００１４】
図１は、発明の第１の実施形態を示している。ディスクケーシング１はこの図において立方体として示されているが、明らかに、ディスクケーシングは、円筒状、又はハードディスクドライブの分野において知られているような、円筒状と立方体との間の中間の形状であることができる。ケーシング１に据え付けられたディスクの回転軸線は一点鎖線２によって表されている。立方体は８つの角隅３を有しており、各角隅に引張ばね４が取り付けられている。引張ばね４は特にコイルばねであることができる。
【００１５】
引張ばね４の遠隔端部は取付けフレーム５に固定されている。ここに示された実施形態においては、取付けフレーム５は、ディスクケーシング１と相俟ってユニットを形成しており、このユニットは、ビデオレコーダ等の装置に据え付けられることができる。択一的に、もちろん、取付けフレーム５は、装置の一体的な構成部材であってよく、ディスクケーシング１は、引張ばね４を据え付けることによって装置に取り付けられている。ここに示された取付けフレーム５は、底板６と、ディスクケーシング１の各側における２つの側壁７とを有しているが、明らかに、取付けフレームは、引張ばね４の遠隔端部のための作用点を提供する限りはあらゆる構造を有することができる。引張ばね４は、側壁７の角隅に近いがこれらの角隅とは一致しない、取付けフレーム５における作用点８を有しており、これにより、ばね４は、ユニットの水平方向の中心平面（図示せず）を通って延びており、互いに干渉することなく互いに交差している。
【００１６】
ディスクケーシング１は、頂壁と、底壁と、前側及び後側を備えた４つの側壁とを有している。ディスクケーシング１の底壁は底板６に関して向けられており、ディスクケーシング１の側壁は、側壁７に関して向けられており、特に側壁７に対して平行である。
【００１７】
ディスクケーシング１を通る共通平面は、方程式Ｚ＝定数によって規定されることができ、ここでＺはディスクの回転軸線に対して平行な寸法である。したがって、共通平面は、ディスクケーシング１の頂壁及び底壁に対して平行であり、特にディスクケーシング１を二分している。共通平面は、例えばディスクケーシング１の重心をも二分している。したがって、ばね４は、ディスクケーシング１における個々の作用点３，３ａ，３ｂから、ディスクケーシング１を通って延びた、複数の、上に定義された共通平面を横切っている。
【００１８】
ディスクケーシング１が、図１及び図２に示されたような非作動位置にある場合、全てのばね４は負荷されており、これにより、ケーシング１が振動している時にばねはたるまない。ばね４がディスクケーシングの個々の角隅からディスクケーシングの水平な中央平面に向かって延びていることにより、ケーシング１の上方及び下方にばねのための空間が設けられなくてよい。したがって、軸線２の方向でのケーシング１とあらゆるその他の隣接する装置コンポーネントとの間の距離は、ケーシング１の振動の許容できる範囲よりも大きい必要はない。
【００１９】
許容できる振動範囲は側壁７の高さよりも大きくてもよい。なぜならば、取付けフレーム５には、ディスクケーシングが側壁７の上縁部を越えて外方へ又は底板６に形成された大きな切欠９を通って下方へ移動するのを妨げるために何もないからである。
【００２０】
図１及び図２の実施形態が垂直方向でのみディスクドライブユニットの寸法を減じるが、図３及び図４に示された第２の実施形態は２つの寸法の減少を達成する。この実施形態において、取付けフレーム５は、ディスクケーシング１の深さと同じ、又は図４に示されているようにディスクケーシングの深さよりも僅かに小さな深さを有している。ディスクケーシング１と、取付けフレーム５の底板６との間の間隙１０は、ディスクケーシング１の振動の振幅を制限する。
【００２１】
ディスクケーシング１の各横方向側部における１対の、対角で向き合った角隅は、ばね４ａのための作用点３ａを形成している。他方のばね４ｂは、ディスクケーシングの横方向側部の別の対の角隅３に近いが、ケーシングの前側と後側との中間に延びた、一点鎖線によって表された垂直平面に向かって僅かにずらされた、作用点３ｂを有している。このように、隣接するばね４は互いに干渉するのを妨げられている。同様に第１の実施形態において、ばね４ａ，４ｂは、ディスクケーシング１の水平中央平面を横切って、側壁７における個々の作用点８まで延びている。側壁７における各ばね４ｂ，４ｂの作用点８は、作用点３ａ，３ｂの箇所よりも前記垂直平面に近い。図４の上面図において、ばね４ａ，４ｂは、ケーシング１の横方向側部と４５゜の角度を形成しているように見える。
【００２２】
図５は、発明の第３の実施形態の斜視図である。図３の実施形態においては、ばね４ａ，４ｂは、角隅３に近いディスクケーシング１における作用点３ａ，３ｂと、側壁の中央領域における作用点８ａ，８ｂとを有しているが、図５の実施形態においては異なる。この配置の効果は第２の実施形態のものと同様であり、ディスクドライブユニットによって占められる空間は同じである。図４の実施形態に関する図５の実施形態の重要な相違は回転に対するより大きな抵抗である。
【００２３】
前の実施形態のうちの１つによるディスクドライブユニットが衝撃を受けると、ディスクケーシング１は、かなり長時間振動し続ける。ばね４によってディスクケーシング１に加えられる加速度は、損傷を生ぜしめないように十分に低いが、ディスクドライブの適切な作動を困難にし、これにより、このような振動を迅速に減衰する振動吸収体を提供することが望ましい。
【００２４】
図６は、振動吸収体１１が設けられたディスクドライブユニットの第３実施例を示している。ばね４ａ，４ｂの配置は図５のものと同一であり再び説明される必要はない。ディスクケーシング１の底壁には２つのフラップ１２が設けられており、これらのフラップは、取付けフレーム５の側壁７に向かって横方向側部を越えて突出している。振動吸収体１１の第１の対は、フラップ１２の下側と、取付けフレーム５の底板６との間に配置されている；振動吸収体１１の第２の対は、フラップ１２の上側と、側壁７の上縁に形成されたウェブ１３との間に延びている。振動吸収体１１の向き合った対は、軸線２と軸線２に対して垂直なあらゆる軸線の方向の平行振動と、軸線２に対して垂直なあらゆる軸線を中心としたねじり振動とを減衰させるために有効である。
【００２５】
図６に示された設計によれば、ディスクドライブユニットの全体高さは、振動吸収体１１の高さの少なくとも２倍であり、この高さは、ディスクケーシング１と、その上方及び下方の所要の振動空間のために必要なものより多い。
【００２６】
図７は、減衰されるディスクドライブユニットの第２実施例を示しており、この場合、全体高さは、図６のものよりも減じられている。図７の実施形態において、ディスクケーシング１の底側から延びたフラップ１２と、側壁７の上縁から延びたウェブ１３と、これらの間の振動吸収体１１とが、図６の実施例と同様に設けられている。さらに、ディスクケーシング１のカバープレート１４には４つのフラップ１５が設けられており、これらのフラップと、底板６との間には振動吸収体１６が設けられている。振動吸収体１１及び１６は垂直方向で重なり合っているので、ディスクドライブユニットの全体高さは減じられている。
【図面の簡単な説明】
【００２７】
【図１】本発明の第１の実施形態によるディスクドライブユニットの概略的な斜視図である。
【図２】図１のディスクドライブユニットの上面図である。
【図３】ディスクドライブユニットの第２の実施形態の斜視図である。
【図４】図３の実施形態の上面図である。
【図５】本発明による第３の実施形態によるディスクドライブユニットの概略的な斜視図である。
【図６】振動吸収体を有する、第３の実施形態の変更された形態を示している。
【図７】振動吸収体を有する、第２の変更された形態である。
【符号の説明】
【００２８】
１  ディスクケーシング、  ２  一点鎖線、  ３  角隅、  ４  引張ばね、  ５  フレーム、  ６  底板、  ７  側壁、  ８  作用点、  ９  切欠、  １０  間隙、  １１  振動吸収体、  １２  フラップ、  １３  ウェブ、  １４  カバープレート、  １５  フラップ、  １６  振動吸収体
【図１】
2007059046.tif 000003
【図２】
2007059046.tif 000004
【図３】
2007059046.tif 000005
【図４】
2007059046.tif 000006
【図５】
2007059046.tif 000007
【図６】
2007059046.tif 000008
【図７】
2007059046.tif 000009